【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
第1のフィルタ回路と、前記第1のフィルタ回路よりも通過帯域が高周波数の第２のフィルタ回路と、前記第1のフィルタに接続された第1のダイオードスイッチ回路と、第２のフィルタ回路に接続され第２のダイオードスイッチ回路を具備し、
前記第1のフィルタ回路と前記第２のフィルタ回路を並列に接続して分波回路とし、
少なくとも前記第２のダイオードスイッチ回路のダイオードとして、１ＭＨｚにおける端子間容量が０．８ｐＦ以下であり、１００ＭＨｚにおける順抵抗が２．０Ω以下のＰＩＮダイオードを用いたことを特徴とする高周波スイッチモジュール。
【請求項２】
第1のフィルタ回路と、前記第1のフィルタ回路よりも通過帯域が高周波数帯の第２のフィルタ回路と、前記第1のフィルタに接続された第1のダイオードスイッチ回路と、第２のフィルタ回路に接続され第２のダイオードスイッチ回路を具備し、
前記第1のフィルタ回路と前記第２のフィルタ回路を並列に接続して分波回路とし、
少なくとも前記第２のダイオードスイッチ回路のダイオードとして、第２次高調波発生量が−１５ｄＢｍ以下のＰＩＮダイオードを用いたことを特徴とする高周波スイッチモジュール。
【請求項３】
前記第１のフィルタ回路がローパスフィルタであり、前記第２のフィルタ回路がハイパスフィルタであることを特徴とする請求項１又は２に記載の高周波スイッチモジュール。
【請求項４】
第１のダイオードスイッチ回路と第２のダイオードスイッチ回路は、それぞれ分波回路と送信回路との間に第１のダイオードと、分波回路と受信回路との間に伝送線路と、前記伝送線路の受信回路側からグランドとの間に第２のダイオードを有することを特徴とする請求項１乃至３のいずれかに記載の高周波スイッチモジュール。
【請求項５】
前記第１のダイオードのアノードを分波回路側に接続し、カソードを送信回路側に接続し、前記第２のダイオードのアノードをグランド側に接続し、カソードを伝送線路側に接続することを特徴とする請求項４に記載の高周波スイッチモジュール。
【手続補正２】
【補正対象書類名】明細書
【補正対象項目名】０００１
【補正方法】変更
【補正の内容】
【０００１】
【発明の属する技術分野】
本発明は、デュアルモード、トリプルモード等のマルチモード移動体通信機に用いられる高周波スイッチモジュールに関する。
【手続補正３】
【補正対象書類名】明細書
【補正対象項目名】００１０
【補正方法】変更
【補正の内容】
【００１０】
【課題を解決するための手段】
第１の発明は、第1のフィルタ回路と、前記第1のフィルタ回路よりも通過帯域が高周波数の第２のフィルタ回路と、前記第1のフィルタに接続された第1のダイオードスイッチ回路と、第２のフィルタ回路に接続され第２のダイオードスイッチ回路を具備し、前記第1のフィルタ回路と前記第２のフィルタ回路を並列に接続して分波回路とし、少なくとも前記第２のダイオードスイッチ回路のダイオードとして、１ＭＨｚにおける端子間容量が０．８ｐＦ以下であり、１００ＭＨｚにおける順抵抗が２．０Ω以下のＰＩＮダイオードを用いた高周波スイッチモジュールである。
第２の発明は、第1のフィルタ回路と、前記第1のフィルタ回路よりも通過帯域が高周波数帯の第２のフィルタ回路と、前記第1のフィルタに接続された第1のダイオードスイッチ回路と、第２のフィルタ回路に接続され第２のダイオードスイッチ回路を具備し、前記第1のフィルタ回路と前記第２のフィルタ回路を並列に接続して分波回路とし、少なくとも前記第２のダイオードスイッチ回路のダイオードとして、第２次高調波発生量が−１５ｄＢｍ以下のＰＩＮダイオードを用いた高周波スイッチモジュールである。
第１、第２の発明において、前記第１のフィルタ回路をローパスフィルタとし、前記第２のフィルタ回路をハイパスフィルタとするのが好ましい。
また、第１のダイオードスイッチ回路と第２のダイオードスイッチ回路は、それぞれ分波回路と送信回路との間に第１のダイオードと、分波回路と受信回路との間に伝送線路と、前記伝送線路の受信回路側からグランドとの間に第２のダイオードを有するものであり、前記第１のダイオードのアノードを分波回路側に接続し、カソードを送信回路側に接続し、前記第２のダイオードのアノードをグランド側に接続し、カソードを伝送線路側に接続するのが好ましい。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
先ず、基本特性の異なるＰＩＮダイオードを３種類準備し、図３に示す測定回路でダイオード単体での第２次高調波発生量を測定した。
ここで第２次高調波は、第1の送受信系の送信信号を基本周波数とする高周波信号をダイオードのアノード側から入力してカソード側から出力する高周波信号に重畳する高調波成分の電力として規定される。本実施例においては、ダイオードに入力する高周波信号の基本周波数をＥＧＳＭ送信信号の周波数帯内の９００ＭＨｚとし、ダイオードへの入力電力が＋１５ｄＢｍとなるようにシグナルジェネレータ（ＳＧ）とパワーアンプを適宜設定している。
【手続補正６】
【補正対象書類名】明細書
【補正対象項目名】００１４
【補正方法】変更
【補正の内容】
【００１４】
ダイオードへの入力電力を＋１５ｄＢｍと設定した理由は以下の通りである。もともとＥＧＳＭの規格（Class４）のなかで、送信信号のアンテナからの送信電力の最大値は＋３３ｄBmであり、高周波スイッチモジュールのＥＧＳＭ送信端子５０５には、送信回路からアンテナまでの間の挿入損失分と多少のマージンを見込み、＋３５ｄBmの高周波信号が入力する。一方本発明の高周波スイッチモジュールは、第１及び第２のフィルタからなる分波回路ブロック１０３を具備するが、この分波回路ブロック１０３を機能させるために、第１のフィルタは、ＤＣＳ（送信ＴＸ：１７１０〜１７８５ＭＨｚ、受信ＲＸ：１８０５〜１８８０ＭＨｚ）システムの周波数帯域での減衰量を、少なくとも２０ｄＢ以上を有するように構成され、第２のフィルタは、ＥＧＳＭ（送信ＴＸ：８８０〜９１５ＭＨｚ、受信ＲＸ：９２５〜９６０ＭＨｚ）システムの周波数帯域での減衰量は少なくとも２０ｄＢ以上を有するように構成されている。このためＥＧＳＭの送信回路（ＥＧＳＭ
ＴＸ）からの入力する＋３５ｄＢｍの高周波信号は第２のフィルタ（Ｆ２）により減衰し、第２のスイッチ回路１０２に漏洩する高周波電力は最大で＋１５ｄＢｍとなる。そこで、ダイオード単体の高調波発生量を測定する際のダイオードへの入力電力を＋１５ｄＢｍとした。
【手続補正７】
【補正対象書類名】明細書
【補正対象項目名】００１５
【補正方法】変更
【補正の内容】
【００１５】
ダイオード単体の基本特性と高調波発生量の評価結果を表１に示す。ダイオードＡ→Ｂ→Ｃの順で第２次高調波発生量が小さい。
【手続補正８】
【補正対象書類名】明細書
【補正対象項目名】００１６
【補正方法】変更
【補正の内容】
【００１６】
【表１】
2002305462.tif 000001
【手続補正９】
【補正対象書類名】明細書
【補正対象項目名】００１８
【補正方法】変更
【補正の内容】
【００１８】
【表２】
2002305462.tif 000002
【手続補正１０】
【補正対象書類名】明細書
【補正対象項目名】００１９
【補正方法】変更
【補正の内容】
【００１９】
表２の結果から、第1、第2のスイッチ回路のダイオードＤＧ２〜ＤＰ１を全てダイオードＡ乃至Ｃに置き換えた場合、表２の実施例１，２及び比較例１に示すように、Ａ→Ｂ→Ｃの順に第２次高調波発生量が小さくなり、ダイオード単体での評価と同様な結果が得られた。また第1、第2のスイッチ回路を構成するダイオードＤＧ２〜ＤＰ１の一つにダイオードＡ又Ｂを用い、他のダイオードに単体として最も第２次高調波発生量が少ないダイオードＣを用いて高周波スイッチモジュールを構成した実施例３乃至５、比較例２，３によれば、高周波スイッチモジュールでの第２次高調波発生量については、第２のスイッチ回路のダイオードＤＰ２，ＤＰ１が支配的であり、特にはダイオードＤＰ１が影響を与えるという知見が得られた。そして、ダイオードＤＰ１をダイオードＡ、Ｂ、Ｃとし、他のダイオードをダイオードＣとした場合においても、ダイオード単体での評価と同様に第２高調波発生量がＡ→Ｂ→Ｃの順で小さくなった。
【手続補正１１】
【補正対象書類名】明細書
【補正対象項目名】００２０
【補正方法】変更
【補正の内容】
【００２０】
ここで高周波スイッチモジュールでは、その使用においてＥＧＳＭ送信モードで、アンテナと接続する端子６００に現れるＥＧＳＭ送信信号の第２次高調波の電力を−３６ｄＢｍ以下とするように規定されている。図５はダイオード単体とモジュールでの第２次高調波発生量の相関図である。これより、高周波スイッチモジュールでの第２次高調波発生量を−３６ｄＢｍ以下に押さえるためには、ダイオード単体の第２次高調波発生量を−１５ｄＢｍ以下にしなければならないことが分かった。